(57)【要約】      （修正有）【課題】コンクリート構築物の壁面に塗るモルタルやタイルが剥落するのを防ぐ外壁タイルの剥落防止埋コンを提供する。【解決手段】埋コン２は略コーン状または円柱状とし、該埋コン２の中央部に、柔軟性を有するエンジニアプラスチック素材で成るリング５と突部付き支柱７と支持棒８と筒体とで成る係合フレーム３を形成する。又、該係合フレーム３の筒体１０の下部に、型枠の丸セパレータに取り付けネジ管４を組み合わせた状態で、前記する係合フレーム３の筒体１０部が、前記する埋コン２の片面側に突設するように埋設して成る埋コン本体１２形成し、該埋コン本体１２と、別体の軸足１４と軸足穴１５付きキャップ１６を一組とする外壁タイルの剥落防止埋コン１を構成する。【選択図】図１
0003163534.tif 000002
【実用新案登録請求の範囲】
【請求項１】
コンクリート構築物のタイルの剥落防止ができる埋コンであって、前記する埋コンは略コーン状または円柱状であって、該埋コンの中央部に、柔軟性を有するエンジニアプラスチック素材で成るリングと突部付き支柱と支持棒と筒体とで成る係合フレームを形成し、該係合フレームの筒体の下部に、型枠の丸セパレータに取り付けネジ管を組み合わせた状態で、前記する係合フレームの筒体部が、前記する埋コンの片面側に突設するように埋設して成る埋コン本体形成し、該埋コン本体と、別体の軸足と軸足穴付きキャップを一組とする構成を特徴とする外壁タイルの剥落防止埋コン。
【請求項２】
前記するネジ管が、中ほどに防水壁を設けて成る請求項１に記載する外壁タイルの剥落防止埋コン。
【請求項３】
前記する筒体の下部に、ネジ管が係合する係合縁を設けた請求項１又は請求項２に記載する外壁タイル剥落防止用埋コン。
【考案の詳細な説明】
【技術分野】
【０００１】  本考案は、コンクリート構築物における外壁タイルの剥落防止を効果的に得られる外壁タイル剥落防止埋コンに関する。
【背景技術】
【０００２】  従来、コンクリート構築物における外壁タイルの剥落を防止するための埋コンとして、モルタル素材で成る埋コン本体の片面に凹部を設け、その凹部内に係合縁付き筒体と、支持棒付きリングと、突部付き支柱とで成る係合フレームを前記凹部内に位置し、かつ前記する係合フレーム下部にネジ管を組み合わせた埋コンとすることで、コンクリート構築物における外壁タイルの剥落防止を図れる技術を本出願人において考案している。（例えば、特許文献１参照）【０００３】
【特許文献１】実用新案登録第３１６１０９６号公報
【考案が解決しようとする課題】
【０００４】  前記する実用新案登録第３１６１０９６号公報に開示される技術は、コンクリート構築物の外壁に塗るモルタルの接着性を高め、かつその上に張り付けた外壁タイルの剥落を防ぐ効果的な技術である。
【０００５】  しかし、この埋コンは中央内部にネジ管を埋設するとともに、その対向側の片面には、打設コンクリートのノロ等の侵入を防ぐため、係合フレームの外周部を高強度モルタルで土手状に縁を設けが、そのため部品が大きくなる結果、構成的にも埋コン本体は大きくなり、かつ重くなった。また構成も複雑であるため、成形における金型も５個必要になるので製造時間も掛るため生産コストが高く、かつ取り扱いの面倒や運送コストも高くなるなどの欠点があった。
【０００６】  加えて係合フレームは埋コン本体の凹部と面一に形成しなければならないので、コンクリート構築物の仕上げ材となるモルタルを係合フレームにしっかりと塗り込めるのは熟練を必要とするため、慣れない者では作業スピードを上げることが難しかった。
【課題を解決するための手段】
【０００７】  本考案は従来の技術が持つモルタル接着補助具の欠点や不便を解消するために、請求項１においては、埋コンは略コーン状または円柱状であって、該埋コンの中央部に、柔軟性を有するエンジニアプラスチック素材で成るリングと突部付き支柱と支持棒と筒体とで成る係合フレームを形成し、該係合フレームの筒体の下部に、型枠の丸セパレータに取り付けネジ管を組み合わせた状態で、前記する係合フレームの筒体部が、前記する埋コンの片面側に突設するように埋設して成る埋コン本体形成し、該埋コン本体と、別体の軸足と軸足穴付きキャップを一組とする外壁タイルの剥落防止埋コンとする。
【０００８】  請求項２においては、前記するネジ管の中ほどに防水壁を設けた外壁タイルの剥落防止埋コンとする。
【０００９】  請求項３においては、前記する筒体の下部に、ネジ管に係合する嵌合縁を設けた外壁タイル剥落防止用埋コンとする。
【考案の効果】
【００１０】  本考案によるタイル剥落防止埋コンは、一方にネジ管を埋設した他方に、エンジニアプラスチック素材による係合フレーム上部を突設して成る埋コン本体に、別体の軸足とキャップを組み合わせる従来には見られないユニークなタイル剥落防止埋コンであるので、本出願人による従来品と比べて次のような長所や効果を得られるタイル剥落防止埋コンを提供できる。
【００１１】  まず、埋コンに取り付ける係合フレームは突設させる方式であるため、従来に比べて埋コンはかなり小さくなるので重さも従来の２分の１と軽くなる。その結果、箱に収納する個数も大量に収められるため保管・運搬経費も大幅に軽減できるとともに、かつその構成部材は少なくシンプルであるので必要な金型も２個で済むため、製造コストも従来の２分の１と安価に生産できる。さらに施工時においては、埋コン本体に軸足とキャップを組み合わせてコンクリートを打設した後に、型枠を取り外してから軸足を引き抜くとキャップも取り外されて係合フレームの周囲が空いた状態に形成できるので、埋コン本体に縁を設けなくても現場のコンクリートを用いて従来品のような係合フレーム周囲に隙間を形成できるため、モルタルを塗り込め易くする機能的な埋コンである。
【００１２】  加えて、主体となる係合フレームは埋コンから突設させた構成であるので、施工した際に塗り付けるモルタルも塗り付け易いので、熟練者でなくても作業スピードを大幅にアップさせられるので作業効率はよく、その上に張り付けるタイルも安定した状態で外装できるタイル張り建物を構築できる。
【００１３】  また、万一地震などにより外壁面に亀裂が起きても、モルタルに喰い込んでいるエンジニアプラスチック製の係合フレームが支柱は引き伸ばされることで、図５に示すようにモルタルやタイルの剥落を防止できる特徴的な作用を得るタイル剥落防止埋コンであり、小さくて軽く、かつシンプルで製造コストも安価に製造できる埋コンである。
【図面の簡単な説明】
【００１４】
【図１】本考案によるタイル剥落防止埋コンの実施形態を示す一部を欠いた斜視図である。
【図２】本考案による埋コン本体に半埋設する係合フレームを示す斜視図である。
【図３】本考案におけるタイル剥落防止埋コンを組み合わせた状態を示す断面図である。
【図４】本考案によるタイル剥落防止埋コンを用いて施工する手順を示すもので、（イ）図は、本考案品を型枠の丸セパレータ取り付けて後、型枠と締め付け具を用いて取り付けた図である。（ロ）図はその型枠にコンクリートを打設した図である。（ハ）図は締め付け具と型枠を取り外した図である。（ニ）図は軸足を引き抜いてキャップを取り外した図である。（ホ）図は外壁面と係合フレーム部にモルタルを塗り付けた図である。（ヘ）図はそのモルタル面に外装タイルを張り付けて完成させた参考図である。
【図５】本考案によるタイル剥落防止埋コンを用いたタイル外装張り構築物が、地震などの強い揺れを受けて剥がれた状態を示す参考図である。
【考案を実施するための最良の形態】
【００１５】  本考案によるタイル剥落防止埋コンの実施形態を、図１に示す斜視図と図２に示す係合フレーム、図３に示す剥落防止埋コンの組み合わせ状態を示す断面図及び図４に示す施工例図と図５の建物が災害を受けた状態を示す参考図で説明する。【００１６】  本考案における剥落防止埋コン１を形成する埋コン２はモルタル素材とし、その大きさは高さ約２０ｍｍで径は約３５ｍｍ程度の略コーン状を成す小径側の中央に係合フレーム３を半埋設し、かつ大径側には金属製のネジ管４を埋設して成るタイル剥落防止埋コン１とする。尚、前記する埋コン２は略コーン状であるが、円柱状でもよい。【００１７】  以下、さらに詳述する。前記する埋コン２はモルタル素材による略コーン状を成す埋コン２の小径側の中央に半埋設する係合フレーム３は、細くても丈夫でかつ適度な柔軟性を有するエンジニアプラスチック素材により、図２のように高さ約２１ｍｍで径が約２７ｍｍほどのリング５の４か所下部に、端部に突部６を設けた一定長の支柱７を４本取り付けるとともに、そのリング５の支柱７部位から内側中央に４本の支持棒８，８に連結して成る係合縁９付き筒体１０を取り付けて成る円形状の係合フレーム３を形成し、その係合フレーム３の下部には、金属製でかつ中ほどに防水壁１１を設けたネジ管４を組み合わせた状態で、前記係合フレーム３の筒体１０より上部が前記埋コン２の外部面に突設するように埋設形成して成る埋コン本体１２を形成する。【００１８】  さらに、以上のように形成した埋コン本体１２には、前記係合フレー３側に、別体形成される係止ツバ１３付き軸足１４と、前記係合フレーム３を覆う大きさの軸足穴１５付きキャップ１６を組み合わせて一組とするタイル剥落防止埋コン１を構成する。【００１９】  本考案によるタイル剥落防止埋コン１は以上のような構成とするので、埋コン２はコンクリートに馴染むモルタル製とするとともに、その片面に半埋設する係合フレーム３は、細くても丈夫でかつ柔軟性を有するナイロン樹脂等のエンジニアプラスチック素材による円形状の係合フレーム３を埋コン２外部に突設させるとともに、その係合フレーム３の支柱７，７は突部６付き支柱７が埋コン２に半埋設する埋コン本体１２を形成するので、係合フレーム３が強く引っ張られると伸びるが埋コン２から分離することはない埋コン本体１２を形成する。【００２０】  加えて、その埋コン本体１２には、従来から型枠形成時に用いられる軸足１３と、かつ前記埋コン本体１２の係合フレーム３の突設部を覆うキャップ１６が組み合わされるタイル剥落防止埋コン１となるので、型枠Ｂと前記軸足１４を取り外した際は、埋コン２の外部に係合フレーム３上部が突設するので、構築物外壁の下地材となるモルタルＥを塗り付け易いタイル剥落防止埋コン１を形成する。【００２１】  次に、以上のようなタイル剥落防止埋コン１を用いて構築物の外壁の施工手順を、以下、図４の（イ）から（ヘ）図に示す施工例図で説明する。【００２２】  まずコンクリート構築物を施工する際に用いる丸セパレータＡに、図４の（イ）に示すようにして、本考案のタイル剥落防止埋コン１を前記丸セパレータＡの端部に取り付けて後に、締め付け具Ｃを持って型枠Ｂを形成した上でコンク��ートＤを打設する。さらにコンクリートＤが硬化した後に締め付け具Ｃと型枠Ｂを取り外すと、（ハ）図のように軸足１４とキャップ１６は埋コン本体１２に組み合わされた状態で構築物壁面と面一で残る。【００２３】  さらに、その状態から（ニ）図のように軸足１４を取り外すと、係止ツバ１３に係合しているキャップ１６も取り外されるので、その外壁面に下地材とするモルタルＥを塗り付けると（ハ）図のように突設している係合フレーム３や壁面にも容易に均一に塗り込められるとともに、その上に外装材となるタイルＦを張り付けると、（ヘ）図のように美しいタイル張りの外装構築物を完成できる。【００２４】  以上のような施工において、本考案品のタイル剥落防止埋コン１を取り付けると、万一、地震などによって外壁面に亀裂が起きても、モルタルが喰い込んでいるエンジニアプラスチック製の係合フレーム３の支柱７は引き伸ばされるため、図５に示すようにモルタルＥやタイルＦの剥落を最小限に抑えることができる。さらに施工時においては、埋コン本体１２に軸足１４とキャップ１６を組み合わせてコンクリートＤを打設した後に、型枠Ｃを取り外してから軸足１４を引き抜くに連動してキャップ１６も取り外されるため、係合フレーム３の周囲が空いた状態に形成できるので、埋コン本体１２に縁を設けなくても現場のコンクリートＤによって、従来品のように係合フレーム１２の周囲に隙間を作れる機能的な埋コンとなる。【００２５】  本考案のタイル剥落防止埋コン１における埋コン２の素材はモルタル素材が好ましいが、合成樹脂製でもよい。また係合フレーム４の形状は円形状であるが角状でも差し支えないし、柔軟性があればナイロン素材以外いずれのエンジニアプラスチックでも構わないなど、いずれも特に限定するものではない。
【符号の説明】
【００２６】１  タイル剥落防止埋コン
２  埋コン
３  係合フレーム
４  ネジ管
５  リング
６  突部
７  支柱
８  支持棒
９  係合縁
１０  筒体
１１  防水壁
１２  埋コン本体
１３  係止ツバ
１４  軸足
１５  軸足穴
１６  キャップ
Ａ  丸セパレータ
Ｂ  型枠
Ｃ  締め付け具
Ｄ  コンクリート
Ｅ  モルタル
Ｆ  タイル
【図１】
0003163534.tif 000003
【図２】
0003163534.tif 000004
【図３】
0003163534.tif 000005
【図４】
0003163534.tif 000006
【図５】
0003163534.tif 000007